(57)【要約】【課題】電子決済に対する信頼性を向上させることができるリーダライタ、非接触型ＩＣカード及び電子マネーの決済方法を提供する。【解決手段】非接触型ＩＣカード１０とリーダライタ２０との間で１回目の通信が行われると、リーダライタ２０から非接触型ＩＣカード１０に対して支払額が送信される。そして、非接触型ＩＣカード１０では、この支払額が表示される。その後、所定時間内に、非接触型ＩＣカード１０とリーダライタ２０との間で２回目の通信が行われると、リーダライタ２０から非接触型ＩＣカード１０に対して支払処理信号が送信される。そして、非接触型ＩＣカード１０では、支払額の支払処理が行われる。このため、支払処理が行われる前に、非接触型ＩＣ側で支払処理情報を確認することができるため、電子決済に対する信頼性を向上させることができる。【選択図】図２
2009134614.tif 000002
【特許請求の範囲】
【請求項１】
非接触型ＩＣと無線通信を行い前記非接触型ＩＣに支払処理を行わせる非接触型ＩＣリーダであって、
前記非接触型ＩＣとの通信を検出すると、支払情報を前記非接触型ＩＣに送信する支払情報送信手段と、
前記支払情報送信手段により前記支払情報が送信された後、再度前記非接触型ＩＣとの通信を検出すると、前記支払情報の支払処理を行わせる支払処理信号を前記非接触型ＩＣに送信する支払処理信号送信手段と、
を備えることを特徴とする非接触型ＩＣリーダ。
【請求項２】
前記支払処理信号送信手段は、前記非接触型ＩＣから送信される支払可信号を検出する場合にのみ、前記支払処理信号を前記非接触型ＩＣに送信することを特徴とする請求項１に記載の非接触型ＩＣリーダ。
【請求項３】
非接触型ＩＣリーダと無線通信を行って支払い処理を行う非接触型ＩＣであって、
前記非接触型ＩＣリーダとの通信を検出すると、前記非接触型ＩＣリーダから送信される支払情報を表示する支払情報表示処理手段と、
前記支払情報表示処理手段により前記支払情報が表示された後、再度前記非接触型ＩＣリーダとの通信を検出すると、前記非接触型ＩＣから送信される支払処理信号に基づき前記支払情報の支払処理を行う支払処理手段と、
を備えることを特徴とする非接触型ＩＣ。
【請求項４】
前記非接触型ＩＣリーダから送信される前記支払情報を検出すると、支払予定額と支払処理後の予定残高の少なくとも一方を前記非接触型ＩＣリーダに送信する残高情報送信手段を更に備えることを特徴とする請求項３に記載の非接触型ＩＣ。
【請求項５】
非接触型ＩＣリーダと無線通信を行う非接触型ＩＣの電子決済を行う電子マネーの決済方法であって、
前記非接触型ＩＣと前記非接触型ＩＣリーダとの通信を検出すると、支払予定額と支払処理後の予定残高の少なくとも一方を利用者に通知する支払額情報通知ステップと、
前記支払額情報通知ステップの後、再度前記非接触型ＩＣと前記非接触型ＩＣリーダとの通信を検出すると、前記支払予定額の決済処理を行う決済処理ステップと、
を備えることを特徴とする電子マネーの決済方法。
【請求項６】
前記決済処理ステップは、決済処理が許可される支払可信号を検出する場合にのみ、前記決済処理を行うことを特徴とする請求項５に記載の電子マネーの決済方法。
【発明の詳細な説明】
【技術分野】
【０００１】
本発明は、非接触型ＩＣと無線通信を行い前記非接触型ＩＣに支払処理を行わせる非接触型ＩＣリーダ、非接触型ＩＣリーダと無線通信を行って支払処理を行う非接触型ＩＣ、及び、非接触型ＩＣリーダと無線通信を行う非接触型ＩＣの電子決済を行う電子マネーの決済方法に関する。
【背景技術】
【０００２】
近年、コンビニエンスストア等における決済（小額決済）として、無線通信を行う非接触型ＩＣが内蔵された非接触型ＩＣカードを用いた電子マネーの決済が行われるようになってきた。この非接触型ＩＣカードは、事前に所定額の電子マネーをチャージしておくと、レジ（精算装置）に接続された非接触型のリーダライタに近接させる（かざす）ことで、非接触型ＩＣカードから支払額が減額され、決済処理が行われるようになっている。なお、非接触型ＩＣカードに電子マネーを再チャージすることで、何度でも繰り返し使用することが可能となっている。
【０００３】
ところで、このような非接触型ＩＣカードを用いて決済を行う場合、利用者は、レジやリーダライタに表示された金額を見てから、非接触型ＩＣカードをリーダライタに近接させている。特許文献１には、支払処理を行う前に、非接触型ＩＣカードの残高を表示させることが開示されている。
【特許文献１】特開２００３−０８５６２３号公報
【発明の開示】
【発明が解決しようとする課題】
【０００４】
しかしながら、非接触型ＩＣカードによる決済では、現金の引渡しが行わないため、利用者は、リーダライタに表示された支払額を信用する以外に、非接触型ＩＣカードから減額される支払額を確認することができず、電子決済に対する信頼性が十分でないという問題があった。なお、特許文献１では、支払処理を行う前に非接触型ＩＣカードの残高を表示させているが、支払額は非接触型ＩＣカードリーダ側でしか表示されない。このため、例えば、悪意ある者による非接触型ＩＣカードリーダの改造により、実際に支払処理される支払額よりも安価に表示されるおそれがあり、信頼性の高い自分の非接触型ＩＣカードにおいて、減額される支払額を事前に確認することができないという問題があった。
【０００５】
そこで、本発明は、電子決済に対する信頼性を向上させることができる非接触型ＩＣリーダ、非接触型ＩＣ及び電子マネーの決済方法を提供することを目的とする。
【課題を解決するための手段】
【０００６】
本発明に係る非接触型ＩＣリーダは、非接触型ＩＣと無線通信を行い非接触型ＩＣに支払処理を行わせる非接触型ＩＣリーダであって、非接触型ＩＣとの通信を検出すると、支払情報を非接触型ＩＣに送信する支払情報送信手段と、支払情報送信手段により支払情報が送信された後、再度非接触型ＩＣとの通信を検出すると、支払情報の支払処理を行わせる支払処理信号を非接触型ＩＣに送信する支払処理信号送信手段と、を備えることを特徴とする。
【０００７】
本発明に係る非接触型ＩＣリーダによれば、まず、非接触型ＩＣとの通信が行われると、非接触型ＩＣに支払情報が送信され、その後、再度非接触型ＩＣとの通信が行われることで、非接触型ＩＣに支払処理を行わせる。このように、利用者は、支払処理が行われる前に、非接触型ＩＣ側で支払処理情報を確認することができるため、電子決済に対する信頼性を向上させることができる。
【０００８】
この場合、上記支払処理信号送信手段は、非接触型ＩＣから送信される支払可信号を検出する場合にのみ、支払処理信号を非接触型ＩＣに送信することが好ましい。この非接触型ＩＣリーダによれば、支払可信号が検出されなければ、非接触型ＩＣに支払処理信号が送信されないため、意図しない非接触型ＩＣの通信により支払処理が行われるのを防止することができる。
【０００９】
本発明に係る非接触型ＩＣは、非接触型ＩＣリーダと無線通信を行って支払い処理を行う非接触型ＩＣであって、非接触型ＩＣリーダとの通信を検出すると、非接触型ＩＣリーダから送信される支払情報を表示する支払情報表示処理手段と、支払情報表示処理手段により支払情報が表示された後、再度非接触型ＩＣリーダとの通信を検出すると、非接触型ＩＣから送信される支払処理信号に基づき支払情報の支払処理を行う支払処理手段と、を備えることを特徴とする。
【００１０】
本発明に係る非接触型ＩＣによれば、まず、非接触型ＩＣリーダから送信される支払情報が表示され、その後、非接触型ＩＣリーダから送信される支払処理信号に基づき支払処理が行われる。このように、利用者は、支払処理が行われる前に、非接触型ＩＣ側で支払処理情報を確認することができるため、電子決済に対する信頼性を向上させることができる。
【００１１】
この場合、上記非接触型ＩＣリーダから送信される支払情報を検出すると、支払予定額と支払処理後の予定残高の少なくとも一方を非接触型ＩＣリーダに送信する残高情報送信手段を更に備えることが好ましい。この非接触型ＩＣによれば、非接触型ＩＣリーダから送信された支払情報が検出されると、支払予定額と支払処理後の予定残高の少なくとも一方が非接触型ＩＣリーダに送信される。このように、利用者は、支払処理が行われる前に、非接触型ＩＣリーダ側でも、非接触型ＩＣで支払処理が行われる支払予定額と支払処理後の予定残高の少なくとも一方を確認することができるため、電子決済に対する信頼性を向上させることができる。
【００１２】
本発明に係る電子マネーの決済方法は、非接触型ＩＣリーダと無線通信を行う非接触型ＩＣの電子決済を行う電子マネーの決済方法であって、非接触型ＩＣと非接触型ＩＣリーダとの通信を検出すると、支払予定額と支払処理後の予定残高の少なくとも一方を利用者に通知する支払額情報通知ステップと、支払額情報通知ステップの後、再度非接触型ＩＣと非接触型ＩＣリーダとの通信を検出すると、支払予定額の決済処理を行う決済処理ステップと、を備えることを特徴とする。
【００１３】
本発明に係る電子マネーの決済方法によれば、まず、非接触型ＩＣと非接触型ＩＣとの通信が検出されると、支払予定額と決済後の予定残高の少なくとも一方が通知され、その後、再度非接触型ＩＣと非接触型ＩＣリーダとの通信が検出されることで、決済処理が行われる。このように、利用者は、決済処理が行われる前に、支払予定額と決済処理後の予定残高の少なくとも一方を確認することができるため、電子決済に対する信頼性を向上させることができる。
【００１４】
この場合、上記決済処理ステップは、決済処理が許可される支払可信号を検出する場合にのみ、決済処理を行うことが好ましい。この電子マネーの決済方法によれば、支払可信号が検出されなければ、決済処理が行われないため、意図しない非接触型ＩＣと非接触型ＩＣリーダとの通信により決済処理が行われるのを防止することができる。
【発明の効果】
【００１５】
本発明によれば、電子決済に対する信頼性を向上させることができる。
【発明を実施するための最良の形態】
【００１６】
以下、本発明に係る非接触型ＩＣリーダ、非接触型ＩＣ及び電子マネーの決済方法の実施形態について図面を参照して説明する。なお、各図において、同一要素には同一符号を付して重複する説明を省略する。
【００１７】
［第１実施形態］
図１は、第１の実施形態に係る決済処理システムを示すシステム構成図である。図１に示すように、第１の実施形態に係る決済処理システム１は、非接触型ＩＣカード１０と、この非接触型ＩＣカード１０と無線通信可能なリーダライタ（非接触型ＩＣリーダ）２０とにより構成されている。
【００１８】
リーダライタ２０は、コンビニエンスストアなどの店舗のレジに接続されており、非接触型ＩＣカード１０と無線通信を行うことにより、非接触型ＩＣカード１０に支払処理（減算処理）を行わせるものである。このリーダライタ２０には、各種情報が表示される表示部２２０と、非接触型ＩＣカード１０と無線通信を行い非接触型ＩＣカード１０から各種情報を読み出すと共に書き込む非接触Ｒ／Ｗ（Read / Write）部２３０と、非接触Ｒ／Ｗ部２３０に接続されたアンテナ部２４０と、非接触型ＩＣカード１０の全体制御を行う制御部２１０とが設けられている。
【００１９】
制御部２１０は、機能的には、通信検出部２１０ａ、支払情報送信部２１０ｂ及び支払処理信号送信部２１０ｃが含まれている。この制御部２１０は、物理的には、表示部２２０及び非接触Ｒ／Ｗ部２３０と接続されており、主に、ＣＰＵ２１１とメモリ２１２とにより構成されている。
【００２０】
そして、制御部２１０は、非接触型ＩＣカード１０がリーダライタ２０に近接されることにより１回目の通信を検出すると、非接触型ＩＣカード１０に対して支払額を送信する。また、制御部２１０は、非接触型ＩＣカード１０がリーダライタ２０に近接されて２回目の通信が検出されると、非接触型ＩＣカード１０に対して、支払処理を行わせる支払処理信号を送信する。このように、制御部２１０は、通信検出部２１０ａ、支払情報送信部２１０ｂ及び支払処理信号送信部２１０ｃとして機能する。
【００２１】
非接触型ＩＣカード１０は、リーダライタ２０と無線通信が可能なカード状に形成されており、電子マネーによる支払処理を行うものである。この非接触型ＩＣカード１０には、リーダライタ２０と無線通信を行うことにより、電子マネーによる支払処理を行う非接触型ＩＣ１００が搭載されている。この非接触型ＩＣ１００には、リーダライタ２０と無線通信を行う非接触ＩＣＣ（IC Chip）部１２０と、非接触ＩＣＣ部１２０に接続されたアンテナ部１３０と、非接触型ＩＣカード１０の全体制御を行う制御部１１０とが内蔵されている。また、非接触型ＩＣカード１０には、各種情報が表示される表示部１４０と、電子マネーの残高が記憶される残高保持部１５０とが設けられており、この表示部１４０及び残高保持部１５０は、非接触型ＩＣ１００に接続されている。
【００２２】
残高保持部１５０には、非接触型ＩＣカード１０にチャージ（保持）されている電子マネーの残高が記憶されている。この残高保持部１５０に記憶される残高は、非接触型ＩＣカード１０により電子決済されると、支払処理により支払額が減算される。また、この残高保持部１５０に記憶される残高は、所定のリーダライタにより所定額チャージされると、チャージされた所定額だけ加算される。
【００２３】
制御部１１０は、機能的には、支払処理部１１０ａ及び支払情報表示処理部１１０ｂが含まれている。この制御部１１０は、物理的には、非接触ＩＣＣ部１２０と接続されて、主に、ＣＰＵ１１１とメモリ１１２とにより構成されている。
【００２４】
そして、制御部１１０は、非接触型ＩＣカード１０がリーダライタ２０に近接されることにより１回目の通信を検出し、リーダライタ２０から送信された支払額を受信すると、この支払額を表示部１４０に表示させる。また、制御部１１０は、非接触型ＩＣカード１０がリーダライタ２０に近接されて２回目の通信が検出され、リーダライタ２０から送信された支払処理信号を検出すると、残高保持部１５０に記憶されている電子マネーの残高から支払額を減算する。このように、制御部１１０は、支払処理部１１０ａ及び支払情報表示処理部１１０ｂとして機能する。
【００２５】
次に、図２〜図４を参照して、本実施形態に係る決済処理システム１の決済処理動作について説明する。図２は、決済処理システム１の決済処理動作を説明するためのシーケンス図であり、図３は、リーダライタの決済処理動作を説明するためのフローチャートであり、図４は、非接触型ＩＣカードの決済処理動作を説明するためのフローチャートである。
【００２６】
まず、図２を参照して、決済処理システム１の決済処理動作について簡単に説明する。
【００２７】
非接触型ＩＣカード１０とリーダライタ２０との間で１回目の通信が行われると（ステップＳ１）、リーダライタ２０から非接触型ＩＣカード１０に対して支払額が送信される（ステップＳ２）。そして、非接触型ＩＣカード１０では、この支払額が表示される（ステップＳ３）。
【００２８】
その後、所定時間内に、非接触型ＩＣカード１０とリーダライタ２０との間で２回目の通信が行われると（ステップＳ４）、リーダライタ２０から非接触型ＩＣカード１０に対して支払処理信号が送信される（ステップＳ５）。そして、非接触型ＩＣカード１０では、支払額の支払処理が行われる（ステップＳ６）。
【００２９】
次に、図３を参照して、リーダライタ２０の詳しい決済処理動作について説明する。
【００３０】
まず、事前準備としてレジが登録され、非接触型ＩＣカード１０による電子決済を行うように支払方法が設定される（ステップＳ１１）。
【００３１】
そして、非接触型ＩＣカード１０がリーダライタ２０に近接されることにより非接触型ＩＣカード１０とリーダライタ２０との間で１回目の通信が行われると（ステップＳ１２：ＹＥＳ）、制御部２１０は、非接触型ＩＣカード１０に対して支払額を送信する（ステップＳ１３）。
【００３２】
ステップＳ１３の後、所定時間内に、非接触型ＩＣカード１０がリーダライタ２０に近接されることにより非接触型ＩＣカード１０とリーダライタ２０との間で２回目の通信が行われると（ステップＳ１４：ＹＥＳ）、制御部２１０は、非接触型ＩＣカード１０に対して支払処理信号を送信する（ステップＳ１５）。
【００３３】
一方、ステップＳ１３の後、所定時間内に、２回目の通信が行われないと（ステップＳ１４：ＮＯ）、制御部２１０は、非接触型ＩＣカード１０に対して支払処理信号を送信せずに、処理を終了する。
【００３４】
次に、図４を参照して、非接触型ＩＣカード１０の詳しい決済処理動作について説明する。
【００３５】
まず、非接触型ＩＣカード１０がリーダライタ２０に近接されることにより非接触型ＩＣカード１０とリーダライタ２０との間で１回目の通信が行われると（ステップＳ２１：ＹＥＳ）、制御部１１０は、リーダライタ２０から送信された支払額を受信する（ステップＳ２２）。そして、制御部１１０は、ステップＳ２２において受信した支払額を、表示部１４０に表示させる（ステップＳ２３）。
【００３６】
ステップＳ２３の後、所定時間内に、非接触型ＩＣカード１０がリーダライタ２０に近接されることにより非接触型ＩＣカード１０とリーダライタ２０との間で２回目の通信が行われると（ステップＳ２４：ＹＥＳ）、制御部１１０は、リーダライタ２０から送信された支払処理信号を受信する（ステップＳ２６）。そして、制御部１１０は、残高保持部１５０に記憶された電子マネーの残高から支払額を減算する支払処理を行う（ステップＳ２７）。なお、ステップＳ２７において、電子マネーの残高から減算される支払額は、ステップＳ２３において表示された支払額となる。
【００３７】
一方、ステップＳ２３の後、所定時間内に、非接触型ＩＣカード１０とリーダライタ２０との間で２回目の通信が行われないと（ステップＳ２４：ＮＯ）、制御部１１０は、支払処理を中止する（ステップＳ２７）。そして、残高保持部１５０に記憶された電子マネーの残高から支払額を減算することなく、処理を終了する。
【００３８】
［第２実施形態］
次に、第２の実施形態に係る決済処理システムについて説明する。図５は、第２の実施形態に係る決済処理システムを示すシステム構成図である。図５に示すように、第２の実施形態に係る決済処理システム２は、第１の実施形態の非接触型ＩＣカード１０に圧力検出部３６０が追加された非接触型ＩＣカード３０と、第１の実施形態のリーダライタ２０と同一構成のリーダライタ４０とにより構成されている。
【００３９】
非接触型ＩＣカード３０の圧力検出部３６０は、非接触型ＩＣカード３０の表面付近に設けられる圧力センサ（不図示）であって、利用者が圧力センサを押圧する圧力を検出するものである。そして、圧力検出部３６０は、圧力を検出すると、制御部１１０に対して圧力検出信号を送信する。
【００４０】
非接触型ＩＣカード３０の制御部１１０には、支払処理部１１０ａ及び支払情報表示処理部１１０ｂが設けられており、更に、支払可信号送信部１１０ｃの機能が設けられている。そして、制御部１１０は、圧力検出部３６０から送信された圧力検出信号を受信しているときに、リーダライタ４０との２回目の通信を検出すると、リーダライタ４０に対して支払可信号を送信する。このように、制御部１１０は、支払可信号送信部１１０ｃとして機能する。
【００４１】
一方、リーダライタ４０の制御部２１０は、非接触型ＩＣカード３０との２回目の通信を検出し、非接触型ＩＣカード３０から送信された支払可信号を検出すると、非接触型ＩＣカード３０に対して支払処理信号を送信する。
【００４２】
次に、図６を参照して、非接触型ＩＣカード３０の詳しい決済処理動作について説明する。図６は、非接触型ＩＣカード３０の決済処理動作を説明するためのフローチャートである。
【００４３】
まず、第１の実施形態の非接触型ＩＣカード１０と同様に、ステップＳ２１〜ステップＳ２３の処理を行う。
【００４４】
そして、ステップＳ２３の処理が終了すると、制御部１１０は、所定時間内に、圧力検出状態で２回目の通信を検出したか否かを判定する（ステップＳ３１）。すなわち、ステップＳ３１では、圧力検出部３６０から圧力検出信号を受信しているときに、非接触型ＩＣカード１０がリーダライタ２０に近接され、非接触型ＩＣカード１０とリーダライタ２０との間で２回目の通信が行われたか否かが判定される。なお、ステップＳ３１の判定では、ステップＳ２３において支払額が表示されてから２回目の通信が行われるまでの間に圧力検出信号を受信した場合に、圧力検出状態で２回目の通信を検出したと判定してもよい。
【００４５】
ステップＳ３１の判定において、所定時間内に、圧力検出状態で２回目の通信を検出した場合（ステップＳ３１：ＹＥＳ）、制御部１１０は、リーダライタ２０に対して支払可信号を送信する（ステップＳ３２）。その後、制御部１１０は、リーダライタ２０から送信された支払処理信号を受信し（ステップＳ２６）、残高保持部１５０に記憶された電子マネーの残高から支払額を減算する支払処理を行う（ステップＳ２７）。
【００４６】
一方、ステップＳ３１の判定において、所定時間内に、圧力検出状態で２回目の通信を検出しない場合（ステップＳ３１：ＮＯ）、制御部１１０は、支払処理を中止する（ステップＳ２５）。そして、残高保持部１５０に記憶された電子マネーの残高から支払額を減算することなく、処理を終了する。
【００４７】
次に、図７を参照して、リーダライタ４０の詳しい決済処理動作について説明する。図７は、リーダライタ４０の決済処理動作を説明するためのフローチャートである。
【００４８】
まず、第１の実施形態のリーダライタ２０と同様に、ステップＳ１１〜ステップＳ１４の処理を行う。
【００４９】
そして、ステップＳ１４において、２回目の通信を検出した場合（ステップＳ１４：ＹＥＳ）、制御部２１０は、非接触型ＩＣカード３０から送信された支払可信号を検出したか否かを判定する（ステップＳ４１）。
【００５０】
ステップＳ４１において、支払可信号を検出したと判定した場合（ステップＳ４１：ＹＥＳ）、制御部２１０は、非接触型ＩＣカード３０に対して支払処理信号を送信する（ステップＳ１５）。
【００５１】
一方、ステップＳ４１において、支払可信号を検出しない判定した場合（ステップＳ４１：ＮＯ）、制御部２１０は、非接触型ＩＣカード１０に対して支払処理信号を送信せずに、処理を終了する。
【００５２】
［第３実施形態］
次に、第３の実施形態に係る決済処理システムについて説明する。図８は、第３の実施形態に係る決済処理システムを示すシステム構成図である。図８に示すように、第３の実施形態に係る決済処理システム３は、第１の実施形態の非接触型ＩＣカード１０と同一構成の非接触型ＩＣカード５０と、第１の実施形態のリーダライタ２０と同一構成のリーダライタ６０とにより構成される。
【００５３】
リーダライタ２０の制御部２１０には、通信検出部２１０ａ、支払情報送信部２１０ｂ及び支払処理信号送信部２１０ｃが設けられており、更に、残高情報要求部２１０ｄが設けられている。この制御部２１０は、非接触型ＩＣカード１０との１回目の通信を検出すると、電子マネーの残高、支払予定額及び支払い後の予定残高の要求を行う残高情報要求を送信する。このように、制御部２１０は、残高情報要求部２１０ｄとして機能する。
【００５４】
非接触型ＩＣカード１０の制御部１１０には、支払処理部１１０ａ及び支払情報表示処理部１１０ｂが設けられており、更に、残高情報送信手段１１０ｄが設けられている。この制御部１１０は、リーダライタ２０との１回目の通信を検出し、リーダライタ２０から送信された支払額及び残高要求信号を受信すると、残高保持部１５０に記憶されている電子マネーの残高を読み出し、この残高から減算される支払予定額と、支払処理した後の電子マネーの予定残高とを算出する。そして、制御部１１０は、電子マネーの残高、支払予定額及び支払い後の予定残高を残高情報としてリーダライタ２０に送信する。このように、制御部１１０は、残高情報送信手段１１０ｄとして機能する。
【００５５】
次に、図９を参照して、非接触型ＩＣカード５０の詳しい決済処理動作について説明する。図９は、非接触型ＩＣカード５０の決済処理動作を説明するためのフローチャートである。
【００５６】
まず、第１の実施形態の非接触型ＩＣカード１０と同様に、ステップＳ２１〜ステップＳ２３の処理を行う。
【００５７】
ステップＳ２３の処理が終了すると、制御部１１０は、リーダライタ６０から送信された残高情報要求を受信する（ステップＳ６１）。そして、制御部１１０は、残高保持部１５０に記憶されている電子マネーの残高を読み出し、この残高から減算される支払予定額と、支払処理した後の電子マネーの予定残高とを算出する。そして、制御部１１０は、電子マネーの残高、支払予定額及び支払い後の予定残高を残高情報としてリーダライタ２０に送信する（ステップＳ６２）。
【００５８】
その後、第１の実施形態の非接触型ＩＣカード１０と同様に、制御部１１０は、所定時間内に２回目の通信を検出すると（ステップＳ２４：ＹＥＳ）、支払処理信号を受信して（ステップＳ２６）、支払処理を行う（ステップＳ２７）。一方、制御部１１０は、所定時間内に２回目の通信を検出しないと（ステップＳ２４：ＮＯ）、支払処理を中止して（ステップＳ２５）、処理を終了する。
【００５９】
次に、図１０を参照して、リーダライタ６０の詳しい決済処理動作について説明する。図１０は、リーダライタ６０の決済処理動作を説明するためのフローチャートである。
【００６０】
まず、第１の実施形態のリーダライタ２０と同様に、ステップＳ１１〜ステップＳ１２の処理を行う。
【００６１】
そして、制御部２１０は、非接触型ＩＣカード５０との１回目の通信を検出すると（ステップＳ１２：ＹＥＳ）、非接触型ＩＣカード５０に対して、支払額を送信すると共に（ステップＳ１３）、残高情報要求を送信する（ステップＳ１４）。
【００６２】
その後、制御部２１０は、非接触型ＩＣカード５０から送信された残高情報を受信すると（ステップＳ５２）、この残高情報に含まれる、電子マネーの残高、支払予定額及び支払処理した後の電子マネーの予定残高を、表示部２２０に表示させる（ステップＳ５３）。
【００６３】
その後、制御部２１０は、２回目の通信を検出すると（ステップＳ１４：ＹＥＳ）、非接触型ＩＣカード５０に支払処理信号を送信し、２回目の通信を検出しないと（ステップＳ１４：ＮＯ）、非接触型ＩＣカード５０に支払処理信号を送信せずに、処理を終了する。
【００６４】
［第４実施形態］
次に、第４の実施形態に係る決済処理システムについて説明する。図１１は、第４の実施形態に係る決済処理システムを示すシステム構成図である。図１１に示すように、第４の実施形態に係る決済処理システム４は、第２の実施形態のリーダライタ４０と、このリーダライタと無線通信を行う携帯電話７０とにより構成されている。
【００６５】
携帯電話７０には、基地局と無線通信を行う無線通信部７３０と、無線通信部７３０に接続された無線通信アンテナ部７２０と、各種情報が表示される表示部７４０と、利用者が携帯電話７０の操作を行うための操作部７５０と、電子マネーの残高が記憶される残高保持部７６０と、リーダライタ４０と無線通信を行い電子マネーによる電子決済を行う非接触型ＩＣ１００とが設けられている。この非接触型ＩＣ１００には、リーダライタ４０と無線通信を行う非接触ＩＣＣ部７７０と、非接触ＩＣＣ部７７０に接続されたアンテナ部７８０と、携帯電話７０の全体制御を行う制御部７１０とが設けられている。
【００６６】
操作部７５０は、携帯電話７０の操作を行うものであり、支払処理を許容するための操作ボタン（不図示）が設けられている。そして、この操作ボタンが押下されると、ボタン操作検出信号を制御部７１０に送信する。
【００６７】
制御部７１０は、第２の実施形態の非接触型ＩＣカード３０の制御部２１０と同様に、機能的には、支払処理部７１０ａ、支払情報表示処理部７１０ｂ及び支払可信号送信部７１０ｃが含まれている。この制御部７１０は、物理的には、非接触ＩＣＣ部７７０と接続されており、主に、ＣＰＵ７１１とメモリ７１２とにより構成されている。
【００６８】
そして、制御部７１０は、携帯電話７０がリーダライタ４０に近接されることにより１回目の通信を検出すると、リーダライタ４０から送信された支払額を受信して、この支払額を表示部７４０に表示させる。また、制御部７１０は、操作部７５０から送信された圧力検出信号を受信しているときに、携帯電話７０がリーダライタ４０に近接されることにより２回目の通信を検出すると、リーダライタ４０に対して支払可信号を送信する。その後、リーダライタ４０から送信された支払処理信号を検出すると、残高保持部７６０に記憶されている電子マネーの残高から支払額を減算する。このように、制御部７１０は、支払処理部７１０ａ、支払情報表示処理部７１０ｂ及び支払可信号送信部７１０ｃとして機能する。
【００６９】
なお、決済処理システム４の決済処理動作は、第２の実施形態に係る決済処理システム２の決済処理動作と同様であり、携帯電話７０は図６に示す決算処理動作を行い、リーダライタ４０は図７に示す決算処理動作を行う。
【００７０】
［第５実施形態］
次に、第５の実施形態に係る決済処理システムについて説明する。図１２は、第５の実施形態に係る決済処理システムを示すシステム構成図である。図１２に示すように、決済処理システム５は、第２の実施形態の非接触型ＩＣカード３０と同一構成の非接触型ＩＣカード８０と、第２の実施形態のリーダライタ４０と同一構成のリーダライタ９０とにより構成される。
【００７１】
非接触型ＩＣカード８０の制御部１１０は、リーダライタ９０との通信回数に関わらず、通信検出時に圧力検出信号を受信したか否かにより、支払可信号を送信するか否かを判断する。すなわち、制御部１１０は、リーダライタ４０との通信を検出したときに、圧力検出信号を受信していると、リーダライタ４０に対して支払可信号を送信する。一方、制御部１１０は、リーダライタ４０との通信を検出したときに、圧力検出信号を受信していなければ、リーダライタ４０に対して支払可信号を送信しない。
【００７２】
リーダライタ９０の制御部２１０は、非接触型ＩＣカード８０との通信回数に関わらず、通信検出時に支払可信号を検出したか否かにより、支払額を送信するのか支払処理信号を送信するのかを判断する。すなわち、制御部２１０は、非接触型ＩＣカード８０との通信を検出したときに、非接触型ＩＣカード８０から送信される支払可信号を検出していないと、非接触型ＩＣカード８０に対して支払額を送信する。一方、制御部２１０は、非接触型ＩＣカード８０との通信を検出したときに、非接触型ＩＣカード８０から送信される支払可信号を検出していると、非接触型ＩＣカード８０に対して支払処理信号を送信する。
【００７３】
次に、図１３を参照して、非接触型ＩＣカード８０の詳しい決済処理動作について説明する。図１３は、非接触型ＩＣカード８０の決済処理動作を説明するためのフローチャートである。
【００７４】
まず、非接触型ＩＣカード８０がリーダライタ９０に近接され、非接触型ＩＣカード８０とリーダライタ９０との間で通信が行われると（ステップＳ７１：ＹＥＳ）、制御部１１０は、圧力検出部３６０から送信される圧力検出信号を検出したか否かを判定する（ステップＳ７２）。
【００７５】
ステップＳ７２において、圧力検出信号を検出していないと判定した場合（ステップＳ７２：ＮＯ）、制御部１１０は、リーダライタ９０に対して支払可信号を送信せずに、リーダライタ９０から支払額が送信されるのを待つ。その後、制御部１１０は、リーダライタ９０から送信される支払額を受信すると（ステップＳ７３）、この支払額を表示部１４０に表示させて（ステップＳ７４）、ステップＳ７１に戻り、処理を繰り返す。
【００７６】
一方、ステップＳ７２において、圧力検出信号を検出したと判定した場合（ステップＳ７２：ＹＥＳ）、制御部１１０は、リーダライタ９０に対して支払可信号を送信し、リーダライタ９０から支払処理信号が送信されるのを待つ。その後、制御部１１０は、リーダライタ９０から送信される支払処理信号を受信すると（ステップＳ７６）、残高保持部１５０に記憶された電子マネーの残高から支払額を減算する支払処理を行い（ステップＳ７７）、処理を終了する。
【００７７】
次に、図１４を参照して、リーダライタ９０の詳しい決済処理動作について説明する。図１４は、リーダライタ９０の決済処理動作を説明するためのフローチャートである。
【００７８】
まず、事前準備としてレジが登録され、非接触型ＩＣカード８０による電子決済を行うように支払方法が設定される（ステップＳ８１）。
【００７９】
そして、非接触型ＩＣカード８０がリーダライタ９０に近接され、非接触型ＩＣカード１０とリーダライタ２０との間で通信が行われると（ステップＳ８２：ＹＥＳ）、制御部２１０は、非接触型ＩＣカード８０から送信される支払可信号を検出したか否かを判定する（ステップＳ８３）。
【００８０】
ステップＳ８３において、支払可信号を検出していないと判定した場合（ステップＳ８３：ＮＯ）、制御部２１０は、非接触型ＩＣカード１０に対して支払額を送信する（ステップＳ８４）。
【００８１】
一方、ステップＳ８３において、支払可信号を検出したと判定した場合（ステップＳ８３：ＹＥＳ）、制御部２１０は、非接触型ＩＣカード１０に対して支払処理信号を送信し（ステップＳ８５）、処理を終了する。
【００８２】
以上説明したように、本実施形態に係る決済処理システムによれば、まず、非接触型ＩＣカードがリーダライタに近接され、非接触型ＩＣカードとリーダライタとの間で１回目の通信が行われると、リーダライタから非接触型ＩＣカードに支払額が送信され、非接触型ＩＣカードにおいて、この支払額が表示される。その後、非接触型ＩＣカードとリーダライタとの間で２回目の通信が行われることで、リーダライタから非接触型ＩＣカードに支払処理信号が送信され、非接触型ＩＣカードの支払処理が行われる。このように、利用者は、実際に支払処理が行われる前に、非接触型ＩＣカード側で支払額を確認することができるため、電子決済に対する信頼性を向上させることができる。
【００８３】
また、第２の実施形態に係る決済処理システム２及び第４の実施形態に係る決済処理システム４によれば、支払可信号が検出されなければ、リーダライタ４０から非接触型ＩＣカード３０（携帯電話７０）に支払処理信号が送信されないため、支払処理を行うとの利用者の意思に基づき支払い処理を行うことができ、意図しない非接触型ＩＣカード３０（携帯電話７０）とリーダライタ４０との通信により支払処理が行われるのを防止することができる。
【００８４】
また、第３の実施形態に係る決済処理システム３によれば、非接触型ＩＣカード５０においてリーダライタ６０から送信された支払情報が検出されると、電子マネーの残高、支払予定額及び支払い後の予定残高がリーダライタ６０に送信されて表示される。このように、利用者は、支払処理が行われる前に、リーダライタ６０側でも、電子マネーの残高、支払予定額及び支払い後の予定残高を確認することができるため、電子決済に対する信頼性を向上させることができる。
【００８５】
また、第４の実施形態に係る決済処理システム４によれば、携帯電話７０に非接触型ＩＣ１００を搭載することで、携帯電話７０には、本来の機能に加えて信頼性の高い電子マネーとしての機能を追加することができるため、携帯電話７０の利用範囲を広げることができる。
【００８６】
また、第５の実施形態に係る決済処理システム５によれば、非接触型ＩＣカード８０をリーダライタ９０に近接させる際に、圧力検出信号を受信したか否か（圧力検出部３６０を押圧したか否か）により、非接触型ＩＣカード８０に支払額を表示させる場合と、支払処理を行う場合とを分けることができる。このため、意図しない非接触型ＩＣカード８０とリーダライタ９０との通信により支払処理が行われるのを防止しながら、迅速に、支払額の表示と支払処理とを選択実行させることができる。
【００８７】
以上、本発明をその実施形態に基づき具体的に説明したが、本発明は上記実施形態に限定されるものではない。例えば、上記実施形態において、支払可信号は、圧力検出部３６０から圧力検出信号が送信された場合に、リーダライタ４０から非接触型ＩＣカード３０送信されるものとして説明したが、利用者の意思を反映させることができるものであれば、如何なる手段によって支払可信号を送信するようにしてもよい。例えば、特定のキー（又はキーの組合せ）に支払可の機能を割り当て、その押下を検出した場合に支払可信号を送信させてもよい。
【００８８】
また、上記実施形態において、非接触型ＩＣカード（携帯電話）は、リーダライタから送信された支払額を表示させるものとして説明したが、利用者に支払額を通知できる手段であれば如何なる手段で通知してもよい。例えば、音声により支払額を利用者に通知するようにしてもよい。
【００８９】
また、第３の実施形態において、１回目の通信では、リーダライタ６０は支払額と残高情報要求を送信し、非接触型ＩＣカード５０は、この支払額と残高情報要求の受信に対応して残高情報を送信するように説明したが、例えば、リーダライタ６０は残高情報要求を送信せず支払額のみを送信し、非接触型ＩＣカードは、支払額の受信に対応して残高情報を送信するようにしてもよい。また、例えば、リーダライタ６０は、残高情報を送信することなく、非接触型ＩＣカード５０の残高保持部１５０から電子マネーの残高を読み出し、リーダライタ６０において、この読み出した残高から減算される支払予定額と、支払処理した後の電子マネーの予定残高とを算出し、表示部２２０に表示させるようにしてもよい。
【００９０】
また、上記実施形態において、非接触型ＩＣは、電子マネーを減算することにより支払処理を行うものとして説明したが、例えば、クレジット機能のように、支払額を事後的に引き落としてもよく、別途利用者に請求するものであってもよい。
【図面の簡単な説明】
【００９１】
【図１】第１の実施形態に係る決済処理システムを示すシステム構成図である。
【図２】決済処理システム１の決済処理動作を説明するためのシーケンス図である。
【図３】リーダライタの決済処理動作を説明するためのフローチャートである。
【図４】非接触型ＩＣカードの決済処理動作を説明するためのフローチャートである。
【図５】第２の実施形態に係る決済処理システムを示すシステム構成図である。
【図６】非接触型ＩＣカードの決済処理動作を説明するためのフローチャートである。
【図７】リーダライタの決済処理動作を説明するためのフローチャートである。
【図８】第３の実施形態に係る決済処理システムを示すシステム構成図である。
【図９】非接触型ＩＣカードの決済処理動作を説明するためのフローチャートである。
【図１０】リーダライタの決済処理動作を説明するためのフローチャートである。
【図１１】第４の実施形態に係る決済処理システムを示すシステム構成図である。
【図１２】第５の実施形態に係る決済処理システムを示すシステム構成図である。
【図１３】非接触型ＩＣカードの決済処理動作を説明するためのフローチャートである。
【図１４】リーダライタの決済処理動作を説明するためのフローチャートである。
【符号の説明】
【００９２】
１，２，３，４，５…決済処理システム、１００…非接触型ＩＣ、２０，４０，６０，９０…リーダライタ（非接触型ＩＣリーダ）、１１０…制御部（支払処理手段、支払情報表示処理手段、支払可信号送信手段、残高情報送信手段）、１１０ａ…支払処理部、１１０ｂ…支払情報表示処理部、１１０ｃ…支払可信号送信部、１１０ｄ…残高情報送信手段、２１０      制御部（支払情報送信手段、支払処理信号送信手段）、２１０ｂ…支払情報送信手段、２１０ｃ…支払処理信号送信手段、２１０ｄ…残高情報要求手段、７１０…制御部（支払処理手段、支払情報表示処理手段、支払可信号送信手段）、７１０ａ…支払処理部、７１０ｂ…支払情報表示処理部、７１０ｃ…支払可信号送信部。
【図１】
2009134614.tif 000003
【図２】
2009134614.tif 000004
【図３】
2009134614.tif 000005
【図４】
2009134614.tif 000006
【図５】
2009134614.tif 000007
【図６】
2009134614.tif 000008
【図７】
2009134614.tif 000009
【図８】
2009134614.tif 000010
【図９】
2009134614.tif 000011
【図１０】
2009134614.tif 000012
【図１１】
2009134614.tif 000013
【図１２】
2009134614.tif 000014
【図１３】
2009134614.tif 000015
【図１４】
2009134614.tif 000016